(57)【要約】【課題】オフィスビルやマンションなどの既設建築物における、既設の屋内排水立管或いは排水枡から離れた任意の位置に屋内排水源を設けることができ、汚水排水槽および排水管用トラップの設置を必要とすることなく、省スペースで且つメンテナンス性に優れた排水圧送設備を構成させるための、ポンプ装置を提供する。【解決手段】下水本管へ通じる屋内排水立管１５（または排水枡）と屋内排水源１３との間に介装されるポンプ装置において、ポンプ吸込口５は屋内排水源１３から導下された排水導管１４と着脱自在に接続でき、ポンプ吐出口７から下流方向へ向って導出される吐出管８の導出端から直交状に縦設されたトラップ部１０の出口１０ｕが、前記屋内排水立管１５（または排水枡）へ通じる屋内排水枝管１１へ着脱自在に接続できるよう開設されている。【選択図】        図１
2007063944.tif 000002
【特許請求の範囲】
【請求項１】
下水本管へ通じる屋内排水立管または排水枡と屋内排水源との間に介装されるポンプ装置であって、ポンプ吸込口は屋内排水源から導下された排水導管と着脱自在に接続でき、ポンプ吐出口から下流方向へ向って導出される吐出管の導出端から直交状に縦設されたトラップ部の出口が、前記屋内排水立管または排水枡へ通じる屋内排水枝管へ着脱自在に接続できるよう開設されていることを特徴とする、ポンプ装置。
【請求項２】
下水本管へ通じる屋内排水立管または排水枡と屋内排水源との間に介装されるポンプ装置であって、出口をポンプ吸込口に導通して直交状に縦設されたトラップ部の入口が、前記屋内排水源から導下された排水導管と着脱自在に接続でき、下流側へ向けて開口されたポンプ吐出口が、前記屋内排水立管または排水枡へ通じる屋内排水枝管へ着脱自在に接続できるよう開設されていることを特徴とする、ポンプ装置。
【発明の詳細な説明】
【技術分野】
【０００１】
本発明は主として、オフィスビルやマンションなどの既設建築物におけるトイレ、浴槽、洗面用シンク、台所用シンク、洗濯機用パンなど各種排水源からの排水を下水本管へ圧送させるためのポンプ装置に関するものである。
【背景技術】
【０００２】
オフィスビルやマンションなどの建築物におけるトイレ、浴槽、洗面用シンク、台所用シンク、洗濯機用パンなど(以下、「排水設備機器等」という)各種排水源からの排水は、従来、床下空間部における屋内排水枝管の傾斜勾配を利用した自然流下方式（重力排水方式）が一般的であった（例えば、特許文献１参照。）。しかし、建物の構造上による制約から床下空間部の高さは僅かにメンテナンスに必要な最低限の高さしかなく、屋内排水立管或いは排水枡からの距離が遠くなればなるほど床下空間部の高さ制約により屋内排水枝管の傾斜勾配は緩やかとなる。従って、必然的に排水設備機器等の設置位置は、当該排水設備機器等に導通される屋内排水枝管が規定の導水勾配が確保できる屋内排水立管或いは排水枡の近傍位置に限定されてしまう。
【０００３】
近年供給過剰の中古オフィスビルを改修してマンション（集合住宅）に転換しようとの動きが建設業界に見られる。この場合、既存ビルの躯体構造をそのまま利用して内部の壁や排水設備機器配置を住居に適合するよう改修することになる。しかし、マンション（集合住宅）の場合にはオフィスビルと異なり、排水設備機器等は各戸毎に設けなければならず、上述の理由からそれに適した位置に屋内排水立管或いは排水枡の配備が望まれるところである。しかし、壁の改修は比較的容易に行えるが、屋内排水立管或いは排水枡の配置変更および増設は躯体構造の変更を伴う大掛りな変更であり難工事となるため、マンション（集合住宅）としての排水設備機器等に対応させた改修はコスト的に困難である。
【０００４】
そこで、従来の傾斜勾配による自然流下方式（重力排水方式）に代え、排水圧送方式と呼ばれる一種の強制移送方式が用いられるようになりつつある。この排水圧送方式では各排水源から排水された汚水が、水中ポンプを内装する排水槽と呼ばれる大容量の槽内に一時貯留され、この貯留された汚水が水中ポンプの駆動により屋内排水枝管へ圧送されることになる。そして、排水管には室内への悪臭の逆流防止のためのトラップが付設される（例えば、特許文献２参照。）。しかし、マンション（集合住宅）においては、各戸毎に排水槽の設置スペースを確保することは困難である。また、水中ポンプの故障や点検時には汚水の溜まった排水槽内から水中ポンプを引き揚げる必要があり、メンテナンス性に問題があるだけでなく、汚水の漏洩や悪臭の拡散によりマンション（集合住宅）の居住性を著しく悪化させることになる。
【特許文献１】特開２００２−２８５６０１号公報  （段落番号０００２）
【特許文献２】特開平１０−２９９０５４号公報  （第１−５図）
【発明の開示】
【発明が解決しようとする課題】
【０００５】
解決しようとする課題は、オフィスビルやマンションなどの既設建築物における、既設の屋内排水立管或いは排水枡から離れた任意の位置にトイレ、浴槽、洗面用シンク、台所用シンク、洗濯機用パンなどの屋内排水源を設けることができ、汚水排水槽および排水管用トラップの設置を必要とすることなく、省スペースで且つメンテナンス性に優れた排水圧送設備を構成させるための、ポンプ装置を提供することにある。
【課題を解決するための手段】
【０００６】
本発明ポンプ装置では、下水本管へ通じる屋内排水立管または排水枡と屋内排水源との間に介装されるポンプ装置であって、ポンプ吸込口は屋内排水源から導下された排水導管と着脱自在に接続でき、ポンプ吐出口から下流方向へ向って導出される吐出管の導出端から直交状に縦設されたトラップ部の出口が、前記屋内排水立管または排水枡へ通じる屋内排水枝管へ着脱自在に接続できるよう開設されていることを、最も主要な特徴とする。
【発明の効果】
【０００７】
床下空間部等に横設された屋内排水枝管と、屋内の排水源から導下された排水導管との間に、本発明ポンプ装置を介装させることにより、オフィスビルやマンションなどの既設建築物における屋内の各種排水源からの排水を、既設の屋内排水立管或いは排水枡経由で下水本管へ排水するための排水圧送設備が即座に構成される。そして本発明ポンプ装置の介装により構成された排水圧送設備は、従来の傾斜勾配による自然流下方式（重力排水方式）のものと異なり、既設の屋内排水立管或いは排水枡から離れた任意の位置に設けられた各種の屋内排水源に対応することができる。しかも、従来の排水圧送方式のような排水槽および排水管用トラップの設置を必要とせず省スペース構成であり、且つ、ポンプの故障や点検時にはポンプ装置ごと引き揚げることができてメンテナンス性に優れ、また、汚水の漏洩や悪臭の拡散を生じる惧れもない。
【発明を実施するための最良の形態】
【０００８】
下水本管へ通じる屋内排水立管または排水枡と屋内排水源との間に介装されるポンプ装置であって、ポンプ吸込口は屋内排水源から導下された排水導管と着脱自在に接続でき、ポンプ吐出口から下流方向へ向って導出される吐出管の導出端から直交状に縦設されたトラップ部を有し、該トラップ部は、上流側へ開口する入口から導下された吸込路が底部で折返し上導されて出口を下流側へ開口された態様に形成されており、該トラップ部の出口が、前記屋内排水立管または排水枡へ通じる屋内排水枝管へ着脱自在に接続できる。
【実施例１】
【０００９】
図１において、１はポンプを駆動させるための原動機、２は原動機１の導出軸端部に装着された羽根車、３は羽根車２を収容するポンプケーシングであり、羽根車２の入口部６と対向するようポンプ吸込口５をサクションカバー４に開設し、ポンプ吐出口７はポンプケーシング３の上壁に開設され、該ポンプ吐出口７には下流側に向けて水平状に導出する吐出管８が接続されている、１０は吐出管８の導出端部において該吐出管８と直交状に縦設されたトラップ部であり、その入口１０ｉが上記吐出管８と導通し、出口１０ｕは後記屋内排水枝管１１へ着脱自在に接続できるよう開設し、該トラップ部１０内の封水１０wにより下流域で発生する悪臭の逆流を阻止している。該トラップ部１０の構成を更に具体的に例示すると図５および図６に示されるよう、上流側へ開口する入口１０ｉから直交状に導下された吸込路１０pが底部で折返し上導されて出口１０ｕが下流側へ向けて開口されている。そして、上流側へ向けて開口されたポンプ吸込口５は、図１１および図１２に示される屋内排水源１３から導下された排水導管１４と着脱自在に接続される。また、前記トラップ部１０の出口１０ｕを着脱自在に接続させた屋内排水枝管１１は、図１１および図１２に示すよう建築物の床下または天井裏に沿って横設され、下水本管（図示せず）へ通じる屋内排水立管１５（または排水枡）に集約されている。なお、図１０において１４ｖはポンプ吸込口５と排水導管１４との間に介装された逆止弁、１４ｓは排水状況を検知するよう排水導管１４に付設されたセンサーであり、該センサー１４ｓの検知信号に基づいて制御機関１６からの指令によってポンプ装置を運転制御させることができる。
【実施例２】
【００１０】
図２、図３および図４において、１はポンプを駆動させるための原動機、２は原動機１の導出軸端部に装着された羽根車、３は羽根車２を収容するポンプケーシングであり、羽根車２の入口部６と対向するようポンプ吸込口５をサクションカバー４に開設し、ポンプ吐出口７は後記屋内排水枝管１１と着脱自在に接続できるようポンプケーシング３の上壁に開設されている。１０はポンプ吸込口５の開口面と直交状に縦設されたトラップ部であり、その入口１０ｉは後記排水導管１４と着脱自在に接続できるよう上流側へ向けて開設し、出口１０ｕは吸込路１０pを介してポンプ吸込口５と通じるように開設し、該トラップ部１０内の封水１０wによりポンプケーシング３内を含めた下流域で発生される悪臭の逆流を阻止している。該トラップ部１０の具体的な構成例の一として、図２、図５および図６に示されるよう、上流側へ開口する入口１０ｉから直交状に導下された吸込路１０pが底部で折返し上導され、出口１０ｕが下流側へ向けて開口されることで吸込管１２を介してポンプ吸込口５へ通じる。トラップ部１０の具体的な構成例の二として、図３、図７および図８に示されるよう、上流側へ開口する１０ｉから直交状に上導された吸込路１０pが頂部で折返し導下され、出口１０ｕが下流側へ向けて開口されることでポンプ吸込口５へ通じる。この事例では、封水１０wが悪臭の逆流防止と共にポンプ起動時の自吸水としても機能することになる。トラップ部１０の具体的な構成例の三として、図４および図９に示されるよう、上流側へ開口される１０ｉから導下された吸込路１０pの底部で出口１０ｕが下流側へ向けて開口されることでポンプ吸込口５へ通じる。この事例でも、封水１０wが悪臭の逆流防止と共にポンプ起動時の自吸水としての機能を果すことになる。そして、上記いずれの事例の場合も、トラップ部１０の入口１０ｉは、図１１および図１２に示される屋内排水源１３から導下された排水導管１４と着脱自在に接続される。また、ポンプ吐出口７を着脱自在に接続させた屋内排水枝管１１は、図１１および図１２に示すよう建築物の床下または天井裏に沿って横設され、下水本管（図示せず）へ通じる屋内排水立管１５（または排水枡）に集約されている。なお、排水状況を検知するセンサーを排水導管１４に付設しておき、該センサーの検知信号に基づいて制御機関からの指令によりポンプ装置を運転制御させることが可能であることについては、実施例１の場合と同じである。
【図面の簡単な説明】
【００１１】
【図１】本発明ポンプ装置の一実施例における縦断側面であって、吐出管にトラップ部を設けた態様を示す。
【図２】本発明ポンプ装置の一実施例における縦断側面であって、吸込管にトラップ部を設けた態様を示す。
【図３】本発明ポンプ装置の一実施例における縦断側面であって、ポンプケーシングにトラップ部を設けた態様を示す。
【図４】本発明ポンプ装置の一実施例における縦断側面であって、ポンプケーシングにトラップ部を設けた別の態様を示す。
【図５】図１および図２のＡ矢視方向の正面図である。
【図６】図５のＢ−Ｂ線矢視方向の断面図である。
【図７】図３のＤ矢視方向の正面図である。
【図８】図７のＥ−Ｅ線矢視方向の断面図である。
【図９】図４のＧ矢視方向の正面図である。
【図１０】図１の本発明ポンプ装置にポンプの運転制御機能を付加した実施例を略示した説明図である。
【図１１】本発明ポンプ装置を床下に付設した使用例を略示した説明図である。
【図１２】本発明ポンプ装置を排水設備機器内に付設した使用例を略示した説明図である。
【符号の説明】
【００１２】
１      原動機
２      羽根車
３      ポンプケーシング
４      サクションカバー
５      ポンプ吸込口
６      羽根車の入口部
７      ポンプ吐出口
８      吐出管
１０      トラップ部
１０ｉ    入口
１０p    吸込路
１０ｕ    出口
１０w    封水
１１      屋内排水枝管
１３      屋内排水源
１４      排水導管
１５      屋内排水立管
【図１】
2007063944.tif 000003
【図２】
2007063944.tif 000004
【図３】
2007063944.tif 000005
【図４】
2007063944.tif 000006
【図５】
2007063944.tif 000007
【図６】
2007063944.tif 000008
【図７】
2007063944.tif 000009
【図８】
2007063944.tif 000010
【図９】
2007063944.tif 000011
【図１０】
2007063944.tif 000012
【図１１】
2007063944.tif 000013
【図１２】
2007063944.tif 000014